(57)【要約】【課題】  電力の消耗を抑制できる血圧計を提供する。【解決手段】  阻血袋１１を保持したカフ帯１２が設けられ、このカフ帯１２の長さ方向の両端部１２ａは、自動巻き取りドラム１３に連結されている血圧計１であって、  上記カフ帯１２の巻き取り・巻き戻し時の抵抗を減少させる手段が設けられ、この抵抗減少手段は、少なくとも軸方向Ｗに伸縮自在なストレッチ素材で構成されたカフリング４である。【選択図】  図３
2005237429.tif 000002
【特許請求の範囲】
【請求項１】
阻血袋を保持したカフ帯が設けられ、このカフ帯の長さ方向の両端部は、自動巻き取りドラムに連結されている血圧計であって、
上記カフ帯の巻き取り・巻き戻し時の抵抗を減少させる手段が設けられていることを特徴とする血圧計。
【請求項２】
上記カフ帯の内方に腕を挿入するためのカフリングが配置され、上記抵抗減少手段は、少なくとも軸方向に伸縮自在なストレッチ素材で構成されたカフリングであることを特徴とする請求項１記載の血圧計。
【請求項３】
上記カフ帯の内方に腕を挿入するためのカフリングが配置され、上記抵抗減少手段は、上記阻血袋の側を弛ませたカフリングであることを特徴とする請求項１記載の血圧計。
【請求項４】
上記抵抗減少手段は、カフ帯が摺接する血圧計本体の摺接部分に形成された滑動処理部であることを特徴とする請求項１〜３のいずれか１項に記載の血圧計。
【請求項５】
上記抵抗減少手段は、阻血袋と血圧計本体の空気給排手段とを連結する連結チューブに形成された伸縮部であることを特徴とする請求項１〜４のいずれか１項に記載の血圧計。
【請求項６】
上記抵抗減少手段は、カフ帯の阻血袋保持部と巻き取り部との連結部分に形成されたアール部であることを特徴とする請求項１〜５のいずれか１項に記載の血圧計。
【発明の詳細な説明】
【技術分野】
【０００１】
本発明は、電力の消耗を抑制できる血圧計に関する。
【背景技術】
【０００２】
従来、阻血袋を保持したカフ帯が設けられ、このカフ帯の長さ方向の両端部を着脱テープで係止する手巻き式の血圧計において、阻血袋を覆う保護布に折り曲げ部を形成して、保護布が阻血袋の膨張を妨げないように伸びるようにしたものがある（例えば、特許文献１参照）。
【０００３】
ところで、カフ帯を自動巻き取りドラムで巻き取る電動巻き式の血圧計、とりわけ家庭用としてコンパクトかつシンプルに構成する血圧計にあっては、電動モータの電源となる市販の乾電池を血圧計本体に内蔵する必要があるので、その容量には限界がある。
【特許文献１】特開平９−２３８９１０号公報
【発明の開示】
【発明が解決しようとする課題】
【０００４】
しかしながら、カフ帯の巻き取り・巻き戻し時の抵抗が大きいことから、この抵抗に起因する乾電池の電力の消耗をできるだけ抑制したいという要望があった。
【０００５】
本発明は、上記要望の応えるためになされたもので、電力の消耗を抑制できる血圧計を提供することを課題とするものである。
【課題を解決するための手段】
【０００６】
上記課題を解決するために、請求項１の発明は、阻血袋を保持したカフ帯が設けられ、このカフ帯の長さ方向の両端部は、自動巻き取りドラムに連結されている血圧計であって、
上記カフ帯の巻き取り・巻き戻し時の抵抗を減少させる手段が設けられていることを特徴とするものである。
【０００７】
請求項２の発明は、請求項１記載の血圧計であって、上記カフ帯の内方に腕を挿入するためのカフリングが配置され、上記抵抗減少手段は、少なくとも軸方向に伸縮自在なストレッチ素材で構成されたカフリングであることを特徴とするものである。
【０００８】
請求項３の発明は、請求項１記載の血圧計であって、上記カフ帯の内方に腕を挿入するためのカフリングが配置され、上記抵抗減少手段は、上記阻血袋の側を弛ませたカフリングであることを特徴とするものである。
【０００９】
請求項４の発明は、請求項１〜３のいずれか１項に記載の血圧計であって、上記抵抗減少手段は、カフ帯が摺接する血圧計本体の摺接部分に形成された滑動処理部であることを特徴とするものである。
【００１０】
請求項５の発明は、請求項１〜４のいずれか１項に記載の血圧計であって、上記抵抗減少手段は、阻血袋と血圧計本体の空気給排手段とを連結する連結チューブに形成された伸縮部であることを特徴とするものである。
【００１１】
請求項６の発明は、請求項１〜５のいずれか１項に記載の血圧計であって、上記抵抗減少手段は、カフ帯の阻血袋保持部と巻き取り部との連結部分に形成されたアール部であることを特徴とするものである。
【発明の効果】
【００１２】
請求項１の発明によれば、抵抗減少手段によってカフ帯の巻き取り・巻き戻し時の抵抗が減少するので、自動巻き取りドラムがモータ等で駆動されて電池を電源とするような場合には、電力の消耗を抑制できるようになる。
【００１３】
請求項２の発明によれば、カフリングの少なくとも軸方向の伸び率が大きいから、巻き取り時にカフ帯でカフリングを縮径させるときのカフリングの抵抗が減少するので、自動巻き取りドラムの電力の消耗を抑制できるようになる。
【００１４】
請求項３の発明によれば、カフリングの阻血袋の側の弛みが大きいから、巻き取り時にカフ帯でカフリングを縮径させるときのカフリングの抵抗が減少するので、自動巻き取りドラムの電力の消耗を抑制できるようになる。
【００１５】
請求項４の発明によれば、滑動処理部によってカフ帯の接触抵抗が減少するので、自動巻き取りドラムの電力の消耗を抑制できるようになる。
【００１６】
請求項５の発明によれば、伸縮部の伸縮によってカフ帯の巻き取り・巻き戻し時の連結チューブの引っ張り抵抗が減少するので、自動巻き取りドラムの電力の消耗を抑制できるようになる。
【００１７】
請求項６の発明によれば、アール部によってカフ帯の引っ掛かりによる摺動抵抗が減少するので、自動巻き取りドラムの電力の消耗を抑制できるようになる。
【発明を実施するための最良の形態】
【００１８】
以下、本発明を実施するための最良の形態について、図面を参照しながら詳細に説明する。
【００１９】
図１は血圧計１の斜視図である。この血圧計１は、家庭用としてコンパクトかつシンプルに構成したものであって、ボックス状の血圧計本体２には、前後方向に貫通する腕挿入穴３が形成されて、この腕挿入穴３には、腕を挿入するための柔軟な筒状カフリング４が配置されている。このカフリング４は、例えばポリエチレン等の布地製である。
【００２０】
上記血圧計本体２の上部には、開始・終了用スイッチ５と緊急排気用スイッチ６とが設けられ、前部には表示パネルの開き用ボタン７が設けられ、側部にはヒンジで開閉可能な表示パネル８が設けられている。この表示パネル８は、図示の開き位置から矢印ａの方向に閉じ操作すると、血圧計本体２の側部の凹部２ａに嵌め込まれる閉じ位置に収納されてロックされるようになり、上記開き用ボタン７を押すと、ロックが解除されて開き位置に開き操作できるようになる。
【００２１】
上記血圧計本体２の内部には、具体的に図示しないがポンプ、排気弁、圧力センサー等が設けられ、これらは、後述する阻血袋１１に対して空気を給排するための連結チューブ（後述）で連結されるとともに、制御部によって作動タイミングが制御されるようになる。
【００２２】
図２（ａ）は図１のＡ−Ａ線断面図、図２（ｂ）は図１のＢ−Ｂ線断面図である。上記血圧計本体２の腕挿入穴３の下部には、正面視で略Ｔ字状の腕置き台１０が設けられ、この腕置き台１０の上面は、上記腕挿入穴３の曲率に沿った曲面に形成されている。この腕置き台１０は、例えばＡＢＳ樹脂等の硬い成型品である。
【００２３】
上記腕挿入穴３の内部には、上部に阻血袋１１を保持したカフ帯１２が配置され、このカフ帯１２の両端部１２ａは、腕置き台１０の両側を通って、血圧計本体２の下部に設けられた巻き取りドラム１３に連結されている。上記カフ帯１２は、例えば可撓性のプラスチックシートであって、阻血袋１１の保持部分は、阻血袋１１の膨出を抑制するクリップ板を兼ねている。
【００２４】
上記巻き取りドラム１３は、血圧計本体２内にセットした市販の乾電池１６を電源とする電動モータ１７で正逆駆動されるようになっていて、正転時には矢印ｂ方向に回転してカフ帯１２を巻き取り、逆転時には矢印ｃ方向に回転してカフ帯１２を巻き戻すようになる。
【００２５】
上記カフリング４は、上記腕置き台１０とカフ帯１２との間の配置されて、前端リング部４ａが腕挿入穴３の入口内部３ａに係止され、後端リング部４ｂが腕挿入穴３の出口内部３ｂに係止されて、腕挿入穴３の内周囲を覆うようになる。
【００２６】
上記カフリング４の外面下部には、上記腕置き台１０の上面に対向して、腕置き台１０の上面よりも円周方向に長い長方形状の可撓性補助シート１４が接着等によって取付けられていても良い。
【００２７】
上記血圧計１では、血圧計本体２の腕挿入穴３のカフリング４に腕を挿入して腕置き台１０に腕を置いた状態で、開始・終了用スイッチ５をオンすると、巻き取りドラム１３が正転されてカフ帯１２の両端部１２ａが巻き取られ、阻血袋１１がカフリング４を介して腕に巻き付けられながら、腕がカフリング４を介して腕置き台１０に押し付けられるようになる。
【００２８】
そして、阻血袋１１が腕に所定の巻き付け力で巻き付けられると、ポンプから連結チューブ（後述）を介して阻血袋１１に空気が供給されて、阻血袋１１が所定の圧力に達するまで腕を圧迫して動脈を阻血し、圧力センサーで所定の圧力に達したことが確認されると、ポンプを停止し、排気弁により一定速度で減圧するように阻血袋１１の空気が排出される。その後、巻き取りドラム１３が逆転されてカフ帯１２が巻き戻されるようになる。
【００２９】
上記阻血袋１１の圧迫時に動脈の脈波成分をフィルター等により抽出して、所定のアルゴリズムを用いて血圧値を算出し、その結果を表示パネル８で表示するようになる。
【００３０】
一方、図３（ａ）（ｂ）に示すように、上記カフリング４は、上記腕挿入穴３の入口内部３ａと出口内部３ｂとに係止するために、前端リング部４ａと後端リング部４ｂとには芯材が入れられて硬くなっているが、前端リング部４ａと後端リング部４ｂとの間の部分は柔軟になっている。なお、従来では柔軟ではあるが伸縮性が殆どなかった。
【００３１】
そこで、カフ帯１２の巻き取り・巻き戻し時の抵抗を減少させる抵抗減少手段の第１実施形態として、カフリング４を、少なくとも軸方向Ｗに伸縮自在なストレッチ素材で構成したものである。なお、周方向Ｒに伸縮自在であってはならないことを意味するのではなく、軸方向Ｗと周方向Ｒの双方に伸縮自在である方が好ましいが、素材コストとの兼ね合いで、ストレッチ素材としては、少なくとも軸方向Ｗに伸縮自在であれば良いとの意味である。
【００３２】
上記ストレッチ素材は、スパンデックスなどの合成繊維を用いたものと、製織後熱処理によって伸縮性をもたせたものがあるが、いずれであっても良い。
【００３３】
このストレッチ素材としては、例えば、１００ｇ荷重時で伸び率２倍のものが好適である。
【００３４】
第１実施形態の構成であれば、カフリング４の少なくとも軸方向の伸び率が大きいから、巻き取り時にカフ帯１２でカフリング４を縮径させるときに、図３（ｂ）に二点鎖線ｄで示すように、カフリング４が軸方向Wに非常に伸びやすく、この伸びるときの抵抗が著しく減少するので、巻き取りドラム１３を駆動する電動モータ１７の電力の消耗を抑制できるようになる。また、カフ帯１２の拡径時には、カフリング４は元通りに縮んで復元するので、見栄えも良好になる。
【００３５】
図４（ａ）（ｂ）は第２実施形態の抵抗減少手段であって、図４（ａ）のように、上記カフリング４の阻血袋１１の側（上側）の長さＬ１を下側の長さＬ２に対して長く設定して、血圧計本体２に組み付けるときに、図４（ｂ）に実線ｅで示すように、長さＬ１の長い上側を弛ませるようにしたものである。
【００３６】
第２実施形態の構成であれば、カフリング４の阻血袋１１の側（上側）の弛みが大きいから、巻き取り時にカフ帯１２でカフリング４を縮径させるときに、図４（ｂ）に実線ｅで示したように、カフリング４が軸方向Wに非常に弛みやすく、この弛むときの抵抗が著しく減少するので、巻き取りドラム１３を駆動する電動モータ１７の電力の消耗を抑制できるようになる。また、カフリング４は、柔軟ではあるが伸縮性が殆どない従来と同様の素材でも使用可能である。
【００３７】
図５（ａ）（ｂ）は第３実施形態の抵抗減少手段であって、図２（ａ）に示したように、上記カフ帯１２は、血圧計本体２の摺接部分２ｂを摺接するので、この摺接部分２ｂに、滑動処理部として、図５（ａ）のように、シボ加工（クロスハッチング参照）１８ａを施したものである。このシボ加工１８ａとは、摺接部分２ｂの表面に微小な凹凸（ざらざら）を形成することであって、凸部分だけにカフ帯１２が接触するようになる。
【００３８】
また、図５（ｂ）のように、この摺接部分２ｂに、滑動処理部として、図５（ｂ）のように、リブ加工１８ｂを施しても良い。このリブ加工１８ｂによって、凸部分だけにカフ帯１２が接触するようになる。その他に、滑動処理部として滑性の良いテープを貼ることもできる。
【００３９】
第３実施形態の構成であれば、滑動処理部１８ａ，１８ｂによってカフ帯１２の摺接部分２ｂに対する接触抵抗が減少するので、巻き取りドラム１３を駆動する電動モータ１７の電力の消耗を抑制できるようになる。
【００４０】
図６（ａ）（ｂ）は第４実施形態の抵抗減少手段であって、図６（ａ）に示すように、上記カフ帯１２の阻血袋１１は、空気を給排するための連結チューブ１９を介して上記ポンプ等と連結されていて、この連結チューブ１９の阻血袋１１に対する連結部分を、Ｕ字状に湾曲させた伸縮部１９ａに形成したものである。また、図６（ｂ）に示すように、連結チューブ１９の阻血袋１１に対する連結部分を、らせん状に巻回させた伸縮部１９ｂに形成しても良い。
【００４１】
第４実施形態の構成であれば、伸縮部１９ａ，１９ｂの伸縮によってカフ帯１２の巻き取り・巻き戻し時の連結チューブ１９の引っ張り抵抗が減少するので、巻き取りドラム１３を駆動する電動モータ１７の電力の消耗を抑制できるようになる。
【００４２】
図７（ａ）は第５実施形態の抵抗減少手段である。図７（ｂ）は参考のために示した抵抗減少手段の無い阻血袋１１とカフ帯１２であって、カフ帯１２の阻血袋保持部１２ｃは、阻血袋１１よりもやや広めの長方形状に形成されて、阻血袋保持部１２ｃの四隅にはエッジ部１２ｄが有り、巻き取り部１２ｅとの連結部分にもエッジ部１２ｄが有り、この各エッジ部１２ｄは、カフリング４等に引っ掛かりやすい。
【００４３】
そこで、図７（ａ）に示すように、カフ帯１２の阻血袋保持部１２ｃの四隅と巻き取り部１２ｅとの連結部分とに、アール部１２ｆを形成したものである。
【００４４】
第５実施形態の構成であれば、各アール部１２ｆによってカフ帯１２の引っ掛かりによる摺動抵抗が減少するので、巻き取りドラム１３を駆動する電動モータ１７の電力の消耗を抑制できるようになる。
【００４５】
上記各実施形態は、抵抗減少手段の例示であって、これら以外の抵抗減少手段を採用することもできる。
【００４６】
上記各実施形態は、単独で使用する他、適当に組み合わせて使用することも可能である。
【００４７】
上記各実施形態では、上腕を測定部位として説明したが、手首を測定部位とすることもできる。
【図面の簡単な説明】
【００４８】
【図１】血圧計の斜視図である。
【図２】（ａ）は図１のＡ−Ａ線断面図、（ｂ）は図１のＢ−Ｂ線断面図である。
【図３】第１実施形態であり、（ａ）はカフ帯の斜視図、（ｂ）はカフ帯の正面図である。
【図４】第２実施形態であり、（ａ）は上側を長くしたカフ帯の正面図、（ｂ）は上側を弛ませたカフ帯の正面図である。
【図５】第３実施形態であり、（ａ）はシボ加工を施した血圧計本体の摺接部分の斜視図、（ｂ）はリブ加工を施した血圧計本体の摺接部分の斜視図である。
【図６】第４実施形態であり、（ａ）はＵ字状に湾曲させた連結チューブの伸縮部の側面図、（ｂ）はらせん状に巻回させた連結チューブの伸縮部の側面図である。
【図７】（ａ）はアール部を形成したカフ帯の平面図、（ｂ）はアール部を形成していないカフ帯の平面図である。
【符号の説明】
【００４９】
１      血圧計
２      血圧計本体
２ｂ    摺接部分
２ｃ    阻血袋保持部
２ｅ    巻き取り部
２ｆ    アール部（抵抗減少手段）
４      カフリング（抵抗減少手段）
１１    阻血袋
１２    カフ帯
１２ａ  両端部
１３    巻き取りドラム
１６    乾電池
１７    電動モータ
１８ａ  シボ加工（滑動処理部…抵抗減少手段）
１８ｂ  リブ加工（滑動処理部…抵抗減少手段）
１９    連結チューブ
１９ａ，１９ｂ  伸縮部（抵抗減少手段）
Ｗ      軸方向
【図１】
2005237429.tif 000003
【図２】
2005237429.tif 000004
【図３】
2005237429.tif 000005
【図４】
2005237429.tif 000006
【図５】
2005237429.tif 000007
【図６】
2005237429.tif 000008
【図７】
2005237429.tif 000009